(57)【要約】【課題】本発明は、デザイン性を向上させることが可能な入力装置を提供することを目的とする。【解決手段】本発明の入力装置１０は、タッチパネル１５と、タッチパネル１５を組み込む筐体２０と、を有し、タッチパネル１５は、一方の面５０ｂが入力面とされた表面部材５０と、表面部材５０の他方の面５０ｃ側に配置された透明基材３１と、前記透明基材３１に形成された透明電極層及び引出配線層と、前記引出配線層が入力面側から視認されないように設けられた第１の加飾層５１と、を有し、第１の加飾層５１と筐体２０との間に隙間２１を有し、隙間２１には、第２の加飾層５５が設けられていることを特徴とする。【選択図】図３
2013178687.tif 000002
【特許請求の範囲】
【請求項１】
タッチパネルと、前記タッチパネルを組み込む筐体と、を有し、
前記タッチパネルは、一方の面が入力面とされた表面部材と、
前記表面部材の他方の面側に配置された透明基材と、
前記透明基材に形成された透明電極層及び引出配線層と、
前記引出配線層が入力面側から視認されないように設けられた第１の加飾層と、を有し、
前記第１の加飾層と前記筐体との間に隙間を有し、
前記隙間には、第２の加飾層が設けられていることを特徴とする入力装置。
【請求項２】
前記筐体は、前記タッチパネルと対向する側面を有しており、
前記隙間を介して前記第１の加飾層と対向する前記側面には、第２の加飾層が施されていることを特徴とする請求項１に記載の入力装置。
【請求項３】
前記筐体には、前記タッチパネルを載置するための載置部が形成されており、
前記第１の加飾層と前記筐体との前記隙間に臨む前記載置部の載置面には、第２の加飾層が施されていることを特徴とする請求項１または請求項２に記載の入力装置。
【請求項４】
前記表面部材は、前記隙間を介して前記筐体と対向する側端面を有しており、
前記表面部材の前記側端面には、第２の加飾層が施されていることを特徴とする請求項１から請求項３のいずれか１項に記載の入力装置。
【請求項５】
前記第２の加飾層は、前記第１の加飾層と同色であることを特徴とする、請求項１から請求項４のいずれか１項に記載の入力装置。
【請求項６】
前記透明基材は可撓性を有する樹脂フィルム材料から構成されており、
前記透明基材の前記表面部材と対向する面には、前記第１の加飾層が形成されており、
前記透明基材と前記表面部材とは光学粘着層を介して貼り合わされていることを特徴とする請求項１から請求項５のいずれか１項に記載の入力装置。
【請求項７】
前記表面部材の前記一方の面には、光学粘着層を介して加飾フィルムが貼り合わされており、前記加飾フィルムには前記第１の加飾層が形成されていることを特徴とする請求項１から請求項５のいずれか１項に記載の入力装置。
【請求項８】
前記表面部材の前記他方の面に前記第１の加飾層が設けられており、
前記表面部材と前記透明基材とは、光学粘着層を介して貼り合わされていることを特徴とする請求項１から請求項５のいずれか１項に記載の入力装置。
【発明の詳細な説明】
【技術分野】
【０００１】
本発明は、タッチパネルが筐体に収納された入力装置に関し、特に、加飾層を有する入力装置に関する。
【背景技術】
【０００２】
現在、携帯情報端末などの電子機器の表示部に、表示画像のメニュー項目やオブジェクトを直接、指などで操作して座標入力を行うための透光型入力装置が用いられている。このような入力装置として、入力位置情報を検知可能なタッチパネルが多く用いられており、タッチパネルは筐体に収納された状態で電子機器に組み込まれる。
【０００３】
特許文献１には、静電容量式のタッチパネルの構成が記載されている。図１０には、特許文献１に記載されているタッチパネル１３０を筐体１２０に収納したときの、入力装置１１０の断面図を示す。
【０００４】
図１０に示すように、タッチパネル１３０は、表面部材１５０、第１透明基材１４１、第２透明基材１４５が積層されて構成されている。第１透明基材１４１には第１透明電極層１４２が形成されており、第２透明基材１４５には第２透明電極層１４６が形成されている。そして、第１透明基材１４１と第２透明基材１４５とは、第１透明電極層１４２と第２透明電極層１４６との間に静電容量を有するように積層されている。また、第１透明基材１４１及び第２透明基材１４５には、入力位置情報を引き出すための第１引出配線層１４３、第２引出配線層１４７が形成されている（図１０では、第１引出配線層１４３は図示されない位置に形成されている）。
【０００５】
第１透明基材１４１の入力面側には表面を保護する表面部材１５０が設けられている。表面部材１５０の裏面側には、第１引出配線層１４３及び第２引出配線層１４７と平面視で重なる位置に、着色された加飾層１５１が形成されており、加飾層１５１によって第１引出配線層１４３及び第２引出配線層１４７が操作者から視認されないように遮蔽される。また、加飾層１５１は表示画面を囲むように枠状に形成されており、操作者からみたときに電子機器のデザインの一部として認識される。
【０００６】
また、筐体１２０は枠状に形成されており、その内側にタッチパネル１３０が組み込まれている。図１０に示すように、筐体１２０には、内方に張り出した載置部１２０ａが設けられており、タッチパネル１３０は載置部１２０ａの載置面１２０ｂに粘着層１６３を介して固定される。
【０００７】
また、特許文献２には、図１１に示すように、タッチパネル２３０の表面に加飾フィルム２５２を貼り合わせて構成された入力装置２１０について記載されている。入力装置２１０においては、加飾フィルム２５２の一方の面に加飾層２５１が形成されており、これにより、タッチパネル２３０の引出配線層２４７が操作者から視認されないように遮蔽することができる。
【先行技術文献】
【特許文献】
【０００８】
【特許文献１】特願２０１０−１８５４６８号
【特許文献２】特開２０１１−２０５４９９号公報
【発明の概要】
【発明が解決しようとする課題】
【０００９】
図１０に示すように、タッチパネル１３０は筐体１２０の側面１２０ｃに対して隙間１２１を有して組み込まれている。これは、タッチパネル１３０の外形寸法と筐体の内形寸法とを全く同一にして作製することは高精度の加工技術や組み立て技術が必要であり、実際上困難である。また、加工時の誤差によってタッチパネル１３０の外形寸法が筐体１２０の内形寸法より大きくなってしまうと、筐体１２０に組み込むことができず不良となってしまうため、隙間１２１を設けるようにタッチパネル１３０を筐体１２０に組み込んで入力装置が形成されている。
【００１０】
しかしながら、タッチパネル１３０と側面１２０ｃとの隙間１２１が設けられていると、加飾層１５１と側面１２０ｃとの間においても隙間１２１を有することになる。この場合、操作者が入力装置１１０を見たときに、隙間１２１から、加飾層１５１よりも質感が粗くまた品質が低い筐体１２０の側面１２０ｃや載置面１２０ｂの素地が視認されてしまい、入力装置１１０のデザイン性が低下するため好ましくない。
【００１１】
また、図１１に示す入力装置２１０においては、加飾フィルム２５２は柔軟な材料であり、加飾フィルム２５２をタッチパネル２３０に貼り合わせる際に位置ずれが生じやすい。そのため、タッチパネル２３０の外縁近傍には加飾層２５１に覆われていない露出部が生じてしまう。また、加飾フィルム２５２をタッチパネル２３０の外形よりも大きくすると、加飾フィルム２５２のはみ出した部分を起点として剥離が生じやすくなり、筐体２２０に組み込む際に加飾フィルム２５２の延出する部分が筐体２２０に乗り上げて剥離する場合がある。そのため、図１１に示すように、加飾フィルム２５２はタッチパネル２３０の外縁よりも内方に位置するように設けられている。したがって、加飾層２５１と筐体２２０との隙間２２１はより大きくなってしまい、この隙間２２１から、加飾層２５１よりも質感が粗くまた品質が低い筐体２２０の側面２２０ｃや載置面２２０ｂの素地が視認され易くなるため、デザイン性が低下するという課題が生じる。
【００１２】
本発明は、上記課題を解決して、デザイン性を向上させることが可能な入力装置を提供することを目的とする。
【課題を解決するための手段】
【００１３】
本発明の入力装置は、タッチパネルと、前記タッチパネルを組み込む筐体と、を有し、前記タッチパネルは、一方の面が入力面とされた表面部材と、前記表面部材の他方の面側に配置された透明基材と、前記透明基材に形成された透明電極層及び引出配線層と、前記引出配線層が入力面側から視認されないように設けられた第１の加飾層と、を有し、前記第１の加飾層と前記筐体との間に隙間を有し、前記隙間には、第２の加飾層が設けられていることを特徴とする。
【００１４】
これによれば、第１の加飾層と筐体との隙間に第２の加飾層が設けられていることから、質感が粗くまた品質が低い筐体内面の素地が、隙間を介して操作者に視認されることを防止することができる。したがって、入力装置のデザイン性を向上させることが可能となる。
【００１５】
本発明の入力装置において、前記筐体は、前記タッチパネルと対向する側面を有しており、前記隙間を介して前記第１の加飾層と対向する前記側面には、第２の加飾層が施されていることが好適である。これによれば、操作者が入力装置を斜め方向から見た場合において、筐体側面に第２の加飾層が施されているため隙間を介して筐体の素地が視認されることを防ぐことができる。したがって、入力装置のデザイン性を向上させることが可能となる。
【００１６】
本発明の入力装置において、前記筐体には、前記タッチパネルを載置するための載置部が形成されており、前記第１の加飾層と前記筐体との前記隙間に臨む前記載置部の載置面には、第２の加飾層が施されていることが好ましい。これによれば、操作者が入力面の略垂直方向から入力装置を見た場合においても、載置面に第２の加飾層が施されているため隙間を介して筐体の素地が視認されることを防ぐことができる。したがって、入力装置のデザイン性を向上させることができる。
【００１７】
本発明の入力装置において、前記表面部材は、前記筐体と対向する側端面を有しており、前記表面部材の前記側端面には、第２の加飾層が施されていることが好ましい。このような態様であっても、操作者が入力装置を斜め方向から見た場合において、表面部材の側端面に施された第２の加飾層によって、隙間を介して筐体の素地が視認されることを防ぐことができる。したがって、入力装置のデザイン性を向上させることができる。
【００１８】
本発明の入力装置において、前記第２の加飾層は、前記第１の加飾層と同色であることが好適である。これによれば、隙間から視認される筐体の内側と第１の加飾層とが一体感をもって操作者に視認されるため、よりデザイン性を向上させることが可能である。
【００１９】
本発明の入力装置において、前記透明基材は可撓性を有する樹脂フィルム材料から構成されており、前記透明基材の前記表面部材と対向する面には、前記第１の加飾層が形成されており、前記透明基材と前記表面部材とは光学粘着層を介して貼り合わされていることが好ましい。
【００２０】
また、本発明の入力装置は、前記表面部材の前記一方の面には、光学粘着層を介して加飾フィルムが貼り合わされており、前記加飾フィルムには前記第１の加飾層が形成された構成であってもよい。
【００２１】
これによれば、可撓性を有する前記透明基材と前記表面部材との貼りずれ、または加飾フィルムと前記表面部材との貼りずれにより表面部材の外縁と第１の加飾層とのずれが生じて、第１の加飾層と筐体との隙間が大きい場合であっても、隙間を介して筐体の素地が視認されることを防止して、効果的にデザイン性を向上させることができる。
【００２２】
本発明の入力装置は、前記表面部材の前記他方の面に前記第１の加飾層が設けられており、前記表面部材と前記透明基材とは、光学粘着層を介して貼り合わされていることが好ましい。これによれば、加飾層をフィルム状の基材等に形成して表面部材と貼り合わせる工程がないため、第１の加飾層を表面部材の外縁に一致させて形成することが容易である。したがって、第１の加飾層と筐体との隙間を小さくして、デザイン性を向上させることが可能である。
【発明の効果】
【００２３】
本発明の入力装置によれば、第１の加飾層と筐体との隙間に第２の加飾層が設けられていることから、隙間を介して筐体内面の素地が操作者に視認されることを防止することができる。したがって、入力装置のデザイン性を向上させることが可能となる。
【図面の簡単な説明】
【００２４】
【図１】本発明の第１の実施形態における入力装置の分解斜視図である
【図２】第１の実施形態における透明基材の平面図である。
【図３】図１のＩＩＩ−ＩＩＩ線で切断した入力装置の部分拡大断面図である。
【図４】第１の実施形態における第１の変形例を示す、入力装置の部分拡大断面図である。
【図５】第２の変形例を示す、入力装置の部分拡大断面図である。
【図６】第３の変形例を示す、入力装置の部分拡大断面図である。
【図７】本発明の第２の実施形態における入力装置の部分拡大断面図である。
【図８】本発明の第３の実施形態における入力装置の分解斜視図である。
【図９】第３の実施形態における入力装置の部分拡大断面図である。
【図１０】第１の従来例における入力装置の断面図である。
【図１１】第２の従来例における入力装置の部分拡大断面図である。
【発明を実施するための形態】
【００２５】
＜第１の実施形態＞
図１には、第１の実施形態における入力装置１０の分解斜視図を示す。また、図２には透明基材３１について、裏面側（図１のＺ２方向）から見たときの平面図を示す。図３には、図１のＩＩＩ−ＩＩＩ線で切断した入力装置１０の部分拡大断面図を示す。
【００２６】
図１に示すように、タッチパネル１５は表面部材５０、第１光学粘着層６０、透明基材３１を有して構成されており、図３に示すように表面部材５０と透明基材３１とは、第１光学粘着層６０を介して貼り合わされる。
【００２７】
表面部材５０はタッチパネル１５の表面を保護するために設けられており、透光性の樹脂基板やガラス基板を用いて形成することができる。樹脂基板の材料としては、例えばＰＣ（ポリカーボネイト）やＰＭＭＡ（メタクリル酸メチル樹脂）等が用いられる。また、第１光学粘着層６０には、アクリル系樹脂等の光学粘着糊や両面テープが用いられる。
【００２８】
透明基材３１には、ＰＥＴ（ポリエチレンテレフタレート）、ＣＯＰ（シクロオレフィンポリマー）、ＰＣ（ポリカーボネート）等の樹脂材料を用いてフィルム状に形成されたものを用いることができる。図１に示すように、透明基材３１のＺ１側の面には着色された第１の加飾層５１が枠状に形成されている。第１の加飾層５１はタッチパネル１５の内部が視認されないように遮蔽するために設けられており、また、操作者から見たときには入力装置１０のデザインの一部として認識される。
【００２９】
図２に示すように、透明基材３１の裏面側（図１のＺ２方向）には、入力位置情報を検知するために第１透明電極層３２及び第２透明電極層３３が形成されている。第１透明電極層３２は、複数の菱形形状のパッド部３２ａが細幅の連結部３２ｂを介して連結されてＹ１−Ｙ２方向に延在している。そして複数のＹ１−Ｙ２方向に延在する第１透明電極層３２はＸ１−Ｘ２方向において間隔を設けて配置されている。
【００３０】
第２透明電極層３３は、第１透明電極層３２の連結部３２ｂをＸ１−Ｘ２方向に挟むように離間して配置されており、Ｘ１−Ｘ２方向に配置された第２透明電極層３３どうしは、連結部３２ｂに跨がって設けられたブリッジ電極３４を介して接続されている。そして、複数のＸ１−Ｘ２方向に連結された第２透明電極層３３及びブリッジ電極３４は、Ｙ１−Ｙ２方向において間隔を設けて複数配置されている。
【００３１】
第１透明電極層３２と第２透明電極層３３とは互いに電気的に絶縁されており、第１透明電極層３２と第２透明電極層３３との間に静電容量を有する。操作者が表面部材５０の入力領域５３の任意の箇所に指などを触れると、その箇所において、第１透明電極層３２と第２透明電極層３３との間の静電容量値に指と各透明電極層間の静電容量値が付加される。この静電容量値の変化に基づいて、入力位置情報を検知することができる。
【００３２】
また、第１透明電極層３２のＹ２側の端部、及び第２透明電極層３３のＸ１側の端部またはＸ２側の端部には、それぞれ引出配線層３５が接続されており、接続部３６へと引き回されている。接続部３６には、フレキシブル基板（図示しない）等が接続されて、入力位置情報が外部へ出力される。
【００３３】
第１透明電極層３２及び第２透明電極層３３には、可視光で透光性を有するＩＴＯ（Ｉｎｄｉｕｍ  Ｔｉｎ  Ｏｘｉｄｅ）、ＳｎＯ２、ＺｎＯ等の透明導電材料が用いられており、スパッタ法や蒸着法等の薄膜法で成膜することができる。また、薄膜法以外の方法では、あらかじめ透明導電膜が形成されたフィルムを用意して透明導電膜を基材に転写する転写法や、液状の原料を塗布、乾燥して透明導電膜を形成する塗布法等が挙げられる。また、引出配線層３５及び接続部３６には、Ｃｕ、Ａｇ等の良好な導電性を有する金属材料が用いられている。
【００３４】
図１に示す第１の加飾層５１は、第１透明電極層３２及び第２透明電極層３３が形成された面の反対側の面（図１のＺ１側の面）に形成され、少なくとも引出配線層３５及び接続部３６と平面視で重なるように形成されている。これにより、引出配線層３５及び接続部３６が入力面５０ｂ側から視認されないよう遮蔽することができる。
【００３５】
図３には、図１のＩＩＩ−ＩＩＩ線で切断したときの入力装置１０の部分拡大断面図を示す。図３に示すように、表面部材５０の一方の面５０ｂは入力面とされており、他方の面５０ｃには、第１光学粘着層６０を介して透明基材３１が貼り合わされている。このように構成されたタッチパネル１５は、筐体２０の載置部２０ａ上に載置され粘着層６３によって固定されて筐体２０の内側に組み込まれている。なお、図３は、透明基材３１に形成された第１透明電極層３２、第２透明電極層３３、引出電極層３５等を省略して示す。
【００３６】
図３に示すように、タッチパネル１５は、筐体２０の載置部２０ａに載置されて、粘着層６３によって固定されている。また、筐体２０はタッチパネル１５と対向する側面２０ｃを有しており、タッチパネル１５は筐体２０の側面２０ｃと間隔を設けて組み込まれている。透明基材３１は可撓性の樹脂フィルム材料であるため、表面部材５０との貼り合わせの際に貼りずれが生じやすく、表面部材５０の外縁で第１の加飾層５１と重ならない露出部２２が生じる。したがって、タッチパネル１５は、第１の加飾層５１と筐体２０とで隙間２１を有するように筐体２０に収納されている。なお、本実施形態において、表面部材５０の外縁から第１の加飾層５１までの露出部２２の長さは、１００μｍ〜３００μｍ程度である。
【００３７】
本実施形態の入力装置１０においては、第１の加飾層５１と対向する側面２０ｃ及び載置部２０ａの載置面２０ｂには第２の加飾層５５としての塗装が施されている。載置面２０ｂにおいては、第２の加飾層５５としての塗装は、第１の加飾層５１と筐体２０との隙間２１に臨む載置面２０ｂに少なくとも施されている。そして、第２の加飾層５５としての塗装は、筐体２０の側面２０ｃ及び載置部２０ａの載置面２０ｂの素地が操作者から視認されないよう遮蔽する機能を有している。そのため、操作者が入力装置１０を見たときに、第１の加飾層５１と筐体２０との隙間２１から筐体２０の側面２０ｃ及び載置面２０ｂの素地が視認されることを、第２の加飾層５５としての塗装によって防止することができる。したがって、入力装置１０のデザイン性を向上させることができる。
【００３８】
第２の加飾層５５としての塗装に用いる塗料は特に限定されるものではなく、筐体２０の材質や表面状態等に合わせて適宜選択することができ、例えば着色された顔料を含むアクリル系塗料を用いることができる。また、第２の加飾層５５は、第１の加飾層５１と同色で施されていることがより好ましい。こうすれば、操作者から見たときに、第１の加飾層５１と筐体２０の内側（側面２０ｃ及び載置面２０ｂ）の第２の加飾層５５とが一体感を持って視認されるため、効果的にデザイン性を向上させることが可能である。
【００３９】
なお、本明細書において「同色」とは、操作者から見たときに第１の加飾層５１と第２の加飾層５５とが一体感を持って視認される程度に近い同系色を含み、全く同一の色に限定されるものではない。
【００４０】
本実施形態の入力装置１０において、第１の加飾層５１が透明基材３１に形成されている。したがって、入力装置１０の製造工程において、大版の樹脂フィルム基材を用いて複数の透明基材３１を同一工程で形成できるため、製造コストを低減することができる。また、表面部材５０側に第１の加飾層５１を設ける必要がないことから、表面部材５０の材料選択性が広がる。
【００４１】
図４には、第１の実施形態における入力装置１０の第１の変形例を示し、図１のＩＩＩ−ＩＩＩ線に対応する箇所で切断したときの部分拡大断面図を示す。第１の変形例の入力装置１０において、タッチパネル１５は、図１から図３に示すものと同様の構成である。そして、透明基材３１に形成された第１の加飾層５１と筐体２０との間に隙間２１を有するように、タッチパネル１５は筐体２０に組み込まれている。
【００４２】
第１の変形例において、筐体２０はタッチパネル１５と対向する側面２０ｃを有しており、側面２０ｃには、操作者から筐体２０の素地が視認されないように遮蔽するための第２の加飾層５５としての塗装が施されている。これにより、操作者が斜め方向から隙間２１を見た場合に、筐体２０の側面２０ｃの素地が視認されることを防ぐことができ、デザイン性を向上させることができる。
【００４３】
また、第２の加飾層５５と第１の加飾層５１とは同色であることがより好ましい。操作者から見たときに、第１の加飾層５１と側面２０ｃの第２の加飾層５５とが一体感を持って視認されるため、入力装置１０のデザイン性を効果的に向上させることが可能である。
【００４４】
図５には、第１の実施形態における入力装置１０の第２の変形例を示し、図４と同様に部分拡大断面図を示す。第２の変形例の入力装置１０において、第２の加飾層５５としての塗装は、第１の加飾層５１と筐体２０との隙間２１に臨む載置面２０ｂに少なくとも施されている。これにより、操作者が載置面２０ｂの略垂直方向から入力装置１０を見たときに、筐体２０の載置面２０ｂの素地が視認されることを防止することができ、入力装置１０のデザイン性を向上させることができる。
【００４５】
図６には、入力装置１０の第３の変形例を示し、図１のＩＩＩ−ＩＩＩ線に対応する箇所で切断したときの入力装置１０の部分拡大断面図を示す。図６に示すように、第１の加飾層５１と筐体２０とは隙間２１を有してタッチパネル１５が筐体２０に組み込まれている。第３の変形例において、筐体２０の側面２０ｃに対向する表面部材５０の側端面５０ａに第２の加飾層５５としての塗装が施されており、操作者から筐体２０の素地が視認されないよう遮蔽する機能を有する。
【００４６】
第３の変形例において、操作者が斜め方向から見たときに、第２の加飾層５５としての塗装によって筐体２０の側面２０ｃの素地が隙間２１を介して視認されることを防ぐことができるため、入力装置１０のデザイン性を向上させることができる。
【００４７】
＜第２の実施形態＞
図７には、第２の実施形態の入力装置１１を示し、図３から図６と同様の箇所について部分拡大断面図を示す。本実施形態におけるタッチパネル１６は、透明基材３１と表面部材５０とが貼り合わされており、表面部材５０の一方の面（入力面）５０ｂには加飾フィルム５２が貼り合わされている。透明基材３１には、図２と同様に第１透明電極層３２、第２透明電極層３３、引出配線層３５等が形成されており（図７では省略して示す）、静電容量値の変化に基づいて入力位置が検出可能となっている。
【００４８】
第２の実施形態の入力装置１１は、第１の実施形態と異なり、第１の加飾層５１が透明基材３１に形成されておらず、あらかじめ第１の加飾層５１が形成された加飾フィルム５２を表面部材５０の一方の面５０ｂに貼り合わせることで、図７に示すようなタッチパネル１６が形成される。加飾フィルム５２にはＰＥＴ等の透明樹脂フィルムが用いられており、第２光学粘着層６１を介して表面部材５０に貼り合わされている。加飾フィルム５２は表面を保護するとともに、表面部材５０の割れや破損が発生した場合に、割れた部分が飛散することを防止する機能を有する。
【００４９】
また、加飾フィルム５２は可撓性を有する材料であり、第１の実施形態と同様に、表面部材５０と貼り合わせる際に貼りずれが生じやすい。そのため、図７に示すように、表面部材５０の外縁よりも加飾フィルム５２が内側にずれて、表面部材５０の外縁近傍には第１の加飾層５１に覆われていない露出部２２が生じる。
【００５０】
加飾フィルム５２を、表面部材５０の外縁よりもはみ出すようにあらかじめ大きく形成することで、表面部材５０の外縁まで第１の加飾層５１で覆うことが可能である。しかし、この場合、表面部材５０の外縁よりもはみ出した加飾フィルム５２が起点となって、剥離しやすくなるため、好ましくない。また、タッチパネル１６を筐体２０に組み込む際に、はみ出した加飾フィルム５２が筐体２０に乗り上げて外観品質上問題となる。したがって、加飾フィルム５２は、わずかな露出部２２を設けて表面部材５０に貼り合わされている。
【００５１】
本実施形態の入力装置１１においても、筐体２０の側面２０ｃと表面部材５０の側端面５０ａとが間隔を設けるように、タッチパネル１６は筐体２０に組み込まれている。したがって、第１の加飾層５１と筐体２０とは隙間２１を有して配置されている。
【００５２】
本実施形態の入力装置１１において、筐体２０の側面２０ｃ及び載置面２０ｂには、第２の加飾層５５としての塗装が施されており、第２の加飾層５５としての塗装によって、隙間２１を介して筐体２０の素地が操作者から視認されないように遮蔽することができる。これにより、操作者が隙間２１を見た場合であっても、筐体２０の素地が視認されることを防止することが可能であり、入力装置１１のデザイン性を向上させることができる。また、第２の加飾層５５を第１の加飾層５１と同色に形成することにより、第２の加飾層５５と第１の加飾層５１との一体感を高めることができ、よりデザイン性を向上させることが可能となる。
【００５３】
なお、図７においては、第２の加飾層５５としての塗装を筐体２０の側面２０ｃ及び載置面２０ｂに形成しているが、これに限られず、筐体２０の側面２０ｃまたは載置面２０ｂのいずれか一方のみに形成した場合であっても、筐体２０の素地が視認されることを防ぎ、入力装置１１のデザイン性を向上させることが可能である。あるいは、表面部材５０の側端面５０ａに第２の加飾層５５としての塗装を施すことも可能であり、斜め方向から見たときに筐体２０の素地が隙間２１を介して視認されることを防ぐことができる。
【００５４】
＜第３の実施形態＞
図８には第３の実施形態における入力装置１２の分解斜視図を示す。また、図９には入力装置１２の部分拡大断面図を示す。第３の実施形態において、図８及び図９に示すようにタッチパネル１７は、表面部材５０と第１透明基材４１と第２透明基材４５とが積層されて構成されている。
【００５５】
図８に示すように、第１透明基材４１には、Ｙ１−Ｙ２方向に延出する第１透明電極層４２が複数形成されており、第２透明基材４５には、Ｘ１−Ｘ２方向に延出する第２透明電極層４６が複数形成されている。そして、第１透明電極層４２と第２透明電極層４６との間で静電容量を有するように、第１透明基材４１と第２透明基材４５とが積層されている。
【００５６】
また、第１透明電極層４２のＹ１側の端部には第１引出配線層４３が接続されており、第２透明電極層４６のＸ１側の端部またはＸ２側の端部には第２引出配線層４７が接続されており、外部のフレキシブル基板等（図示しない）と接続可能になっている。
【００５７】
本実施形態において、表面部材５０の入力面を一方の面５０ｂとしたときに、一方の面５０ｂの裏面側である他方の面５０ｃに第１の加飾層５１が形成されている。第１の加飾層５１は、少なくとも第１引出配線層４３及び第２引出配線層４７と平面視で重なるように枠状に形成されており、表面部材５０は第１光学粘着層６０を介して第１透明基材４１と貼り合わされている。これにより、第１引出配線層４３及び第２引出配線層４７が視認されないよう遮蔽することができる。
【００５８】
図９に示すように、第３の実施形態においては、表面部材５０に第１の加飾層５１が形成されている。この場合、表面部材５０及び第１の加飾層５１は、表面部材５０を各製品の形状に加工した後に各個片ごとに印刷して形成する方法や、大判の樹脂基板やガラス基板に複数の第１の加飾層５１を形成した後に各個片に切断加工する方法により形成される。そのため、表面部材５０の外縁と第１の加飾層５１の外縁とをほぼ一致させて形成することが容易である。したがって、第１の実施形態及び第２の実施形態で示すような、第１の加飾層５１で覆われていない露出部２２が生じることを抑制できる。
【００５９】
しかし、本実施形態の入力装置１２においても、第１の加飾層５１と筐体２０との間に隙間２１を有してタッチパネル１７は筐体２０の内側に組み込まれている。
【００６０】
本実施形態の入力装置１２において、図９に示すように、第１の加飾層５１と対向する側面２０ｃ及び載置部２０ａの載置面２０ｂには第２の加飾層５５としての塗装が施されている。載置面２０ｂにおいて、第２の加飾層５５としての塗装は、第１の加飾層５１と筐体２０との隙間２１に臨む載置面２０ｂに少なくとも施されている。第２の加飾層５５としての塗装は、筐体２０の側面２０ｃ及び載置部２０ａの載置面２０ｂの素地が操作者から視認されないよう遮蔽する機能を有している。これにより、操作者が入力装置１２を見たときに、第１の加飾層５１と筐体２０との隙間２１から筐体２０の側面２０ｃや載置面２０ｂの素地が視認されることを防止することができる。したがって、入力装置１２のデザイン性を向上させることができる。
【００６１】
また、本実施形態の入力装置１２においても、第２の加飾層５５と第１の加飾層５１とは同色であることがより好ましい。操作者から見たときに、第１の加飾層５１と載置面２０ｂの第２の加飾層５５とが一体感を持って視認されるため、入力装置１２のデザイン性を効果的に向上させることが可能である。
【００６２】
図９に示す入力装置１２では、筐体２０の側面２０ｃ、及び載置部２０ａの載置面２０ｂに第２の加飾層５５としての塗装が施されているが、これに限定されず、側面２０ｃまたは載置面２０ｂのいずれかに形成することによって隙間２１を介して筐体２０の素地が視認することを防止する効果が得られ、入力装置１２のデザイン性を向上させることができる。あるいは、表面部材５０の側端面５０ａに第２の加飾層５５としての塗装を施すことも可能である。
また、各実施形態において第２の加飾層５５として塗装を用いたが、これに限られず、筐体２０の素地を遮蔽することができる加飾粘着シートや、加飾されたメッキ層、蒸着層、真空成膜層、転写層、印刷層、真空又は圧空成型による加飾フィルム等を第２の加飾層５５として用いることができる。
【符号の説明】
【００６３】
１０、１１、１２  入力装置
１５、１６、１７  タッチパネル
２０  筐体
２０ａ  載置部
２０ｂ  載置面
２０ｃ  側面
２１  隙間
２２  露出部
３１  透明基材
３２、４２  第１透明電極層
３３、４６  第２透明電極層
３５  引出配線層
４１  第１透明基材
４３  第１引出配線層
４５  第２透明基材
４７  第２引出配線層
５０  表面部材
５０ａ  側端面
５０ｂ  一方の面（入力面）
５０ｃ  他方の面
５１  第１の加飾層
５２  加飾フィルム
５５  第２の加飾層
６０  第１光学粘着層
６１  第２光学粘着層
６３  粘着層
【図１】
2013178687.tif 000003
【図２】
2013178687.tif 000004
【図３】
2013178687.tif 000005
【図４】
2013178687.tif 000006
【図５】
2013178687.tif 000007
【図６】
2013178687.tif 000008
【図７】
2013178687.tif 000009
【図８】
2013178687.tif 000010
【図９】
2013178687.tif 000011
【図１０】
2013178687.tif 000012
【図１１】
2013178687.tif 000013